(57)【要約】【課題】モータの回転を所定の減速比で各駆動機構へ伝達し、かつ一眼レフカメラの小型化を図る。【解決手段】ピニオンギヤ４０１を第２のモータ２１の回転軸に固定する。減速ギヤ４０２はピニオンギヤ４０１に噛合し、太陽ギヤ４０３は減速ギヤ４０２に噛合する。遊星ウォームギヤ４０４は平歯車部４０４ａとウォームギヤ部４０４ｂとを有する。平歯車部４０４ａは太陽ギヤ４０３に噛合する。遊星ウォームギヤ４０４を太陽ギヤ４０３の軸心を中心として回転可能に支持する。遊星ウォームギヤ４０４が回転し、パトローネ室の近傍に位置決めされると、ウォーム部４０４ｂは、第１のギヤ列４１９の巻戻し用平歯車４２０に噛合する。第２のモータ２１の回転は、第２の切換手段２３のギヤ列、及び第１のギヤ列４１９を介して巻戻しフォーク２２に伝達され、巻戻しフォーク２２が回転される。【選択図】        図１３
2004252002.tif 000002
【特許請求の範囲】
【請求項１】
モータと、
前記モータの回転運動をパトローネの巻き戻し軸に伝達すべく、前記巻き戻し軸に噛合する第１のギヤ列と、
前記回転運動をクイックリターンミラー駆動手段あるいはシャッター駆動手段へ伝達する第２のギヤ列と、
前記回転運動の伝達経路を前記第１及び第２のギヤ列の間で切り換える切換手段とを備え、
前記切換手段は、
前記モータの回転軸に固定されたピニオンギヤと、
前記ピニオンギヤの回転運動が伝達される太陽ギヤと、
前記太陽ギヤに噛合する平歯車部とこの平歯車部と一体に回転しながら、前記太陽ギアの回転方向に応じて前記第１のギヤ列側または前記第２ギア列側のいずれか一方に選択的に変位可能なウォーム部とからなる遊星ウォームギアとを有することを特徴とするカメラ。
【請求項２】
前記切換手段は、前記遊星ウォームギヤの変位を案内する案内手段と、前記遊星ウォームギヤの変位を規制するロック機構とを有することを特徴とする請求項１に記載のカメラ。
【請求項３】
前記カメラは、前記モータ及び前記ロック機構の動作を制御する制御手段を有し、
前記制御手段は、前記遊星ウォームギヤを連結させるギヤ列を切り換えるために前記遊星ウォームギヤを前記案内手段により案内させながら変位させるとき、前記ロック機構を解除し、
前記制御手段は、前記遊星ウォームギアを前記第１のギヤ列に連結させ、前記ロック機構を作動させ前記遊星ウォームギアの変位を規制した状態下において、前記モータを第１の方向に回転させることにより、前記モータの駆動力を前記パトローネの巻き戻し軸へ伝達し、前記フィルムの巻戻し動作を実行し、
前記遊星ウォームギアを前記第２のギヤ列に連結させ、前記ロック機構を作動させ前記遊星ウォームギアの変位を規制した状態下において、前記モータを前記第１の方向とは反対の第２の方向に回転させることにより、前記第２のギヤ列により前記クイックリターンミラー駆動手段あるいは前記シャッター駆動手段へ前記駆動力を伝達し、前記第１の方向に回転させることにより、前記第２のギヤ列により前記駆動力を絞り駆動手段へ伝達し、プレビュー動作を実行することを特徴とする請求項２に記載のカメラ。
【請求項４】
前記案内手段は、前記遊星ウォームギヤが変位する際、前記遊星ウォームギヤの回転軸を案内するための切り欠きが形成された案内板を有し、
前記ロック機構は、前記遊星ウォームギヤの回転軸の移動を規制する第１及び第２のストッパを有するレバーと、
前記第１及び第２のストッパの前記切り欠き内への移動及び前記切り欠き内からの退避を行うべく前記レバーを駆動するレバー駆動手段とを有し、
前記第１のストッパが前記切り欠き内から退避するよう前記レバーが前記レバー駆動手段により駆動され、かつ前記モータが前記第１の方向へ回転すると、前記遊星ウォームギヤは、前記第１のギヤ列に連結する位置へ変位し、
前記第２のストッパが前記切り欠き内から退避するよう前記レバーが前記レバー駆動手段により駆動され、かつ前記モータが前記第２の方向へ回転すると、前記遊星ウォームギヤは、前記第２のギヤ列に連結する位置へ変位することを特徴とする請求項３に記載のカメラ。
【請求項５】
前記第２のギヤ列は、
前記遊星ウォームギヤの前記平歯車部に噛合可能な平歯車部とこの平歯車部と一体的に設けられるウォーム部とを有するウォームギヤと、
前記ウォームギヤの前記ウォーム部と噛合するウォームホイールギヤと、
前記ウォームホイールギヤと噛合し、その回転軸回りにカム面が形成されたカムギヤとを有し、
前記カムギヤは、前記クイックリターンミラー駆動手段及び前記シャッター駆動手段へ駆動力を伝達するための第３のギヤ列、及び前記絞り駆動手段に連結され、
前記切換手段、前記ウォームギヤ、及び前記ウォームホイールギヤにより伝達される前記モータの前記第２の方向の回転運動は、前記カムギヤにより、前記第３のギヤ列と前記絞り駆動手段に伝達され、
前記切換手段、前記ウォームギヤ、及び前記ウォームホイールギヤにより伝達される前記モータの前記第１の方向の回転運動は、前記カムギヤにより、前記絞り駆動手段に伝達されることを特徴とする請求項２に記載のカメラ。
【請求項６】
前記ロック機構は、前記レバー駆動手段による前記レバーの移動範囲を規制するレバー移動規制手段を有することを特徴とする請求項４に記載のカメラ。
【発明の詳細な説明】
【０００１】
【発明の属する技術分野】
本発明はカメラに関する。
【０００２】
【従来の技術】
カメラ、例えば一眼レフカメラにおいて、フィルムの給送や、シャッター駆動、クイックリターンミラー駆動、絞り駆動の駆動源にはモータが用いられる。モータの回転は、複数の減速ギヤを組み合わせて構成される減速ギヤ列を介して、フィルム給送機構、シャッター駆動機構、クイックリターンミラー駆動機構、及び絞り駆動機構に伝達される。この減速ギヤ列を介することにより、モータの回転運動はそれぞれの駆動機構に適した減速比で減速されて各駆動機構に伝達される。
【０００３】
【発明が解決しようとする課題】
近年、操作性及び携帯性の観点から、一眼レフカメラ等の光学機器をより小型化することが求められている。ところが、カメラにおいて、上述の減速ギヤ列は複数のギヤを組み合わせて構成されるため、ギヤの平面に平行な方向及びギヤの回転軸に平行な方向において嵩張る。一方、カメラにおいて、シャッターチャージやミラー駆動、フィルム給送などには比較的大きな駆動力を必要とするので、搭載するバッテリやモータを小型化した場合、それに伴う駆動力の低下を補うべく、より大きな減速比の減速ギヤ列が必要とされて、減速機構が大型化する。従って、カメラの小型化が困難であった。
【０００４】
本発明は、以上の問題を解決するものであり、小型でかつ大きな減速比の駆動機構を安定して制御可能とすると共に、カメラ全体の小型化を図ることを目的としている。
【０００５】
【課題を解決するための手段】
本願発明に係るカメラは、モータと、モータの回転運動をパトローネの巻き戻し軸に伝達すべく、巻き戻し軸に噛合する第１のギヤ列と、回転運動をクイックリターンミラー駆動手段あるいはシャッター駆動手段へ伝達する第２のギヤ列と、回転運動の伝達経路を第１及び第２のギヤ列の間で切り換える切換手段とを備え、切換手段は、モータの回転軸に固定されたピニオンギヤと、ピニオンギヤの回転運動が伝達される太陽ギヤと、太陽ギヤに噛合する平歯車部とこの平歯車部と一体に回転しながら、太陽ギアの回転方向に応じて第１のギヤ列側または第２ギア列側のいずれか一方に選択的に変位可能なウォーム部とからなる遊星ウォームギアとを有することを特徴とする。
【０００６】
好ましくは、切換手段は、遊星ウォームギヤの変位を案内する案内手段と、遊星ウォームギヤの変位を規制するロック機構とを有する。
【０００７】
好ましくは、カメラは、モータ及びロック機構の動作を制御する制御手段を有し、制御手段は、遊星ウォームギヤを連結させるギヤ列を切り換えるために遊星ウォームギヤを案内手段により案内させながら変位させるとき、ロック機構を解除し、制御手段は、遊星ウォームギアを第１のギヤ列に連結させ、ロック機構を作動させ遊星ウォームギアの変位を規制した状態下において、モータを第１の方向に回転させることにより、モータの駆動力をパトローネの巻き戻し軸へ伝達し、フィルムの巻戻し動作を実行し、遊星ウォームギアを第２のギヤ列に連結させ、ロック機構を作動させ遊星ウォームギアの変位を規制した状態下において、モータを第１の方向とは反対の第２の方向に回転させることにより、第２のギヤ列によりクイックリターンミラー駆動手段あるいはシャッター駆動手段へ駆動力を伝達し、第１の方向に回転させることにより、第２のギヤ列により駆動力を絞り駆動手段へ伝達し、プレビュー動作を実行する。
【０００８】
好ましくは、案内手段は、遊星ウォームギヤが変位する際、遊星ウォームギヤの回転軸を案内するための切り欠きが形成された案内板を有し、ロック機構は、遊星ウォームギヤの回転軸の移動を規制する第１及び第２のストッパを有するレバーと、第１及び第２のストッパの切り欠き内への移動及び切り欠き内からの退避を行うべくレバーを駆動するレバー駆動手段とを有し、第１のストッパが切り欠き内から退避するようレバーがレバー駆動手段により駆動され、かつモータが第１の方向へ回転すると、遊星ウォームギヤは、第１のギヤ列に連結する位置へ変位し、第２のストッパが切り欠き内から退避するようレバーがレバー駆動手段により駆動され、かつモータが第２の方向へ回転すると、遊星ウォームギヤは、第２のギヤ列に連結する位置へ変位する。
【０００９】
好ましくは、第２のギヤ列は、遊星ウォームギヤの平歯車部に噛合可能な平歯車部とこの平歯車部と一体的に設けられるウォーム部とを有するウォームギヤと、ウォームギヤのウォーム部と噛合するウォームホイールギヤと、ウォームホイールギヤと噛合し、その回転軸回りにカム面が形成されたカムギヤとを有し、カムギヤは、クイックリターンミラー駆動手段及びシャッター駆動手段へ駆動力を伝達するための第３のギヤ列、及び絞り駆動手段に連結され、切換手段、ウォームギヤ、及びウォームホイールギヤにより伝達されるモータの第２の方向の回転運動は、カムギヤにより、第３のギヤ列と絞り駆動手段に伝達され、切換手段、ウォームギヤ、及びウォームホイールギヤにより伝達されるモータの第１の方向の回転運動は、カムギヤにより、絞り駆動手段に伝達される。
【００１０】
好ましくは、ロック機構は、レバー駆動手段によるレバーの移動範囲を規制するレバー移動規制手段を有する。
【００１１】
切換手段を構成する遊星ウォームギヤにウォーム部を形成し、このウォーム部を介してモータの回転運動を第１のギヤ列に伝達するため、高い減速比を小さな構成で得ることができる。従って、巻き戻し軸を安定的に駆動できると共に、カメラをよりコンパクトにすることができる。
【００１２】
切換手段を用いてモータの回転運動を複数の駆動手段へ伝達するよう構成されているため、単一のモータの使用効率が向上する。すなわち、各制御ごとに駆動源を設ける必要がないため、一眼レフカメラの小型化がより効果的に図られる。
【００１３】
また、第２のギヤ列において遊星ウォームギヤに連結されるギヤにウォームギヤを用いれば、モータの回転運動を高い減速比でクイックリターンミラー駆動手段あるいはシャッター駆動手段に伝達することが出来ると共に、第２のギヤ列の小型化が図られる。さらに、遊星ウォームギヤが第２のギヤ列から離れた場合でも、ウォームギヤとウォームホイールギヤのかみ合わせにより第２のギヤ列が回転することが無い。従って、動力伝達機構の他にフリクション機構等を設けることなく、予期せぬ振動などによる第２ギヤ列の回転が防止され、動力伝達機構に適した機構となる。
【００１４】
【発明の実施の形態】
以下、本発明の実施の形態を、図面を参照して説明する。
図１は、本発明に係る実施形態が適用される一眼レフカメラのカメラボディ１の外観を正面から示し、図２は、カメラボディ１の外観を図１の右側から示す側面図である。カメラボディ１の上面に配設される上飾板Ｐにおいて、図１の左方端部にレリーズボタン２が設けられ、右方端部に各種モードの設定を行う設定ダイヤル３が設けられる。上飾板Ｐの中央にはフラッシュケース４が配設される。フラッシュ（図示せず）はフラッシュケース４のカメラボディ１の前面側の端部に内蔵される。フラッシュケース４は、カメラボディ１の背面側の端部に設けられる軸回りに回動可能に支持される。フラッシュを使用しないとき、フラッシュケース４は図１及び図２に示す収納位置に位置決めされる。フラッシュを使用するとき、フラッシュケース４は上述の軸回りに回動させられ、フラッシュが内蔵された側の端部が上方に移動し、撮影位置に位置決めされる。カメラボディ１の中央にはレンズマウント５が設けられる。カメラボディ１の内部には、レンズマウント５にマウントされるレンズ鏡筒の光軸上にクイックリターンミラー６が配設される。
【００１５】
図３はカメラボディ１の内部構成を示す正面図、図４は同内部構成の平面図、図５は同内部構成の底面図である。スプール１０の近傍には第１のモータ１１が配設される。第１のモータ１１の回転運動は、第１の減速機構Ｄ１を介して、フラッシュのアップダウン機構またはスプール１０に選択的に伝達される。具体的には、第１のモータ１１の回転運動は、フリクションギヤ１０９、連結ギヤ１１０、スプールギヤ１１１を介してスプール１０に伝達されるか、またはカムギヤ１２０を介してフラッシュのアップダウン機構、すなわちフラッシュケース４の駆動機構に伝達される。第１のモータ１１の回転運動のスプール１０への伝達、アップダウン機構への伝達の切換えは第１の減速機構Ｄ１における切換手段により行われる。パトローネ室２０の底面近傍には第２のモータ２１が配設される。第１のモータ１１及び第２のモータ２１の回転の開始、停止、及び回転方向は、コントローラＣＲにより制御される。
【００１６】
第２のモータ２１の回転運動は、パトローネ室２０の巻き戻しフォーク２２へ伝達されるか、または、クイックリターンミラー６、絞り（図示せず）、及びシャッター（図示せず）の駆動手段に伝達される。第２のモータ２１の回転運動の巻き戻しフォーク２２への伝達と、クイックリターンミラー６等の駆動手段への伝達との切り換えは、第２の減速機構Ｄ２における第２の切換手段２３により行われる。
【００１７】
また、図５及び図６に示すように、中空円筒形状のスプール１０の内周面側には、フラッシュ発光部３００内の発光管（図示せず）を放電発光させるための電荷を充電する円柱形状のメインコンデンサＭＣが挿入されている。このメインコンデンサＭＣの底面側の一端部には、フラッシュ発光部３００の発光制御やメインコンデンサＭＣの充電制御等を行うためのフラッシュ回路基板Ｅが取り付けられている。すなわち、スプール１０の回転軸方向（図３の上下方向に相当）において、スプール１０を挟んで、スプール１０の上方端面側（カメラボディ１の上飾板Ｐ側）には第１の減速機構Ｄ１が配置され、下方端面側（カメラボディ１の底面側）には、フラッシュ回路基板Ｅが配置されている。尚、図５において、フラッシュ回路基板Ｅは省略されている。
【００１８】
図６は第２の減速機構Ｄ２を正面から拡大して示す図、図７は図６のうち一部の部材を省略して示す図、図８は第２の減速機構Ｄ２の斜視図、図９は第２の減速機構Ｄ２を図６の左側から示す側面図である。ピニオンギヤ４０１は第２のモータ２１（図８参照）の回転軸に固定される。減速ギヤ４０２はピニオンギヤ４０１に噛合し、太陽ギヤ４０３（図７参照）は減速ギヤ４０２に噛合している。すなわち、第２のモータ２１の回転運動は、ピニオンギヤ４０１及び減速ギヤ４０２を介して所定の減速比で減速され、太陽ギヤ４０３に伝達される。また、太陽ギア４０３の回転は遊星ギア４０４を有する第２の切換手段２３へ伝達される。
【００１９】
図８に示されるように、遊星ウォームギヤ４０４は平歯車部４０４ａとウォームギヤ部４０４ｂとを有する。平歯車部４０４ａは太陽ギヤ４０３に噛合している（図７参照）。また、遊星ウォームギヤ４０４は太陽ギヤ４０３の軸心を中心として回転可能に支持されている。従って、太陽ギヤ４０３の回転に応じて、遊星ウォームギヤ４０４は太陽ギヤ４０３の軸心を中心として図６及び図７中の時計回り若しくは反時計回りに変位する。
【００２０】
遊星ウォームギヤ４０４の平歯車部４０４ａの前方に、略Ｌ字型を呈する薄板状の案内板４０５が配設される。案内板４０５において２つの腕部４０５ａ、４０５ｂの交差する部分には、遊星ウォームギヤ４０４が変位する際、遊星ウォームギヤ４０４の中心軸４０４ｃを案内するための円弧状の切り欠き４０５ｃが形成されている。遊星ウォームギヤ４０４は、中心軸４０４ｃの端部が切り欠き部４０５ｃ内に位置するよう配設される。遊星ウォームギヤ４０４が太陽ギヤ４０３の回転に応じて変位する際、遊星ウォームギヤ４０４の中心軸４０４ｃの端部が切り欠き４０５ｃに案内されるため、遊星ウォームギヤ４０４の移動は安定して行われる。尚、図７においては、上述のギヤ列の構成を明示するため案内板４０５は省略されている。
【００２１】
案内板４０５において切り欠き部４０５ｃの近傍には、レバー４０６が設けられる。レバー４０６は、案内板４０５と平行なストッパ部４０７と案内板４０５に直交する被駆動部４０８（図８、１９参照）を有しており、ストッパ部４０７と被駆動部４０８は一体的に形成されている。ストッパ部４０７は、案内板４０５の上述のギヤ列が位置する面と反対側の面に対向するよう位置づけられ、被駆動部４０８は、案内板４０５に形成された穴４０５ｄから上述のギヤ列が配設される側へ延出している。レバー４０６は、案内板４０５に設けられた支持軸４０９を中心として回転可能に支持軸４０９に支持されている。
【００２２】
ストッパ部４０７は、２つのアーム４０７ａ、４０７ｂを有する。アーム４０７ａ及び４０７ｂの端部には、それぞれストッパ片４０７ｃ、４０７ｄが形成されている。ストッパ片４０７ｃは、切り欠き部４０５ｃのパトローネ室（図１、２参照）近傍の端部に位置決めされた遊星ウォームギヤ４０４の中心軸４０４ｃの移動を防止するために設けられる。ストッパ片４０７ｄは、切り欠き部４０５ｃのレンズマウント５（図１、２参照）近傍の端部に位置決めされる中心軸４０４ｃの移動を防止するために設けられる。図７及び図８には、中心軸４０４ｃとストッパ片４０７ｄが係合し、中心軸４０４ｃの移動、すなわち遊星ウォームギヤ４０４の移動が規制された状態が示されている。尚、中心軸４０４ｃの位置決めの詳細については後述する。
【００２３】
支持軸４０９の外周面にはコイルバネ４１０が巻き回されている。コイルバネ４１０の一方の端部は案内板４０５の穴４０５ｄに係合し、他方の端部は、レバー４０６のストッパ部４０７に設けられた突片に係合しており、レバー４０６を常時、図６中の時計回りの方向へ付勢している。
【００２４】
案内板４０５の腕部４０５ｂにおいて、上述のギヤ列が配設された側には、ソレノイド４１１が配設され、その軸心にはプランジャ４１２が配設される。プランジャ４１２の端部４１２ａはプランジャ４１２の他の部分よりも大径に形成され、円周方向に沿って溝部４１２ｂが形成されている。図９に示されるように、溝部４１２ｂ内にはレバー４０６の被駆動部４０８の端部が位置している。
【００２５】
ソレノイド４１１への通電の開始及び停止、第２のモータ２１の回転の開始、停止、及び回転方向は、コントローラＣＲにより制御される。
【００２６】
図７、及び図９〜図１２を用いて、遊星ウォームギヤ４０４の移動及びそれに伴う中心軸４０４ｃの位置決めについて説明する。尚、遊星ウォームギヤ４０４の移動を明示するため、図１０〜図１２では案内板４０６は省略されている。コントローラＣＲの制御に基づきソレノイド４１１が通電されると、プランジャ４１２は図９中、上方向に変位させられ、それに伴いプランジャ４１２の溝部４１２ｂ内に位置するレバー４０６の被駆動部４０８が上方向に駆動される。その結果、レバー４０６は、コイルスプリング４１０の付勢力に抗して、支持軸４０９を中心として図７中、反時計方向に回転させられる。これにより、図１０に示すように、遊星ウォームギヤ４０４の中心軸４０４ｃとストッパ片４０７ｄの係合状態は解除され、遊星ウォームギヤ４０４は案内板４０５の切り欠き部４０５ｃに沿って移動可能となる。
【００２７】
この状態でコントローラＣＲの制御により第２のモータ２１が逆転させられるとピニオンギヤ４０１は図７中、反時計方向に回転し、その回転運動は減速ギヤ４０２を介して太陽ギヤ４０３に伝達され、太陽ギヤ４０３は反時計方向に回転する。その結果、太陽ギヤ４０３に噛合する平歯車部４０４ａを介して遊星ウォームギヤ４０４はパトローネ室２０の近傍へ移動し、図１１に示す状態に位置決めされる。
【００２８】
図１１の状態で、コントローラＣＲの制御によりソレノイド４１１が非通電となると、プランジャ４１２は元の位置に復帰する。プランジャ４１２の移動に伴い、レバー４０６は支持軸４０９を中心として時計回りに回転し、図１２に示すように、レバー４０６のストッパ片４０７ｃと遊星ウォームギヤ４０４の中心軸４０４ｃが係合する。その結果、遊星ウォームギヤ４０４は図１２で示される位置に固定される。
【００２９】
図１２の状態でコントローラＣＲの制御によりソレノイド４１１が通電されると、プランジャ４１２の変位に伴いレバー４０６は支持軸４０９を中心として反時計回りに回転し、ストッパ片４０７ｃと遊星ウォームギヤ４０４の中心軸４０４ｃとの係合が解除される（図１１参照）。この状態で、コントローラＣＲの制御により第２のモータ２１が正転させられ、ピニオンギヤ４０１が時計方向に回転させられると、その回転運動は減速ギヤ４０２を介して太陽ギヤ４０３に伝達され、太陽ギヤ４０３は時計方向に回転する。その結果、太陽ギヤ４０３に噛合する平歯車部４０４ａを介して遊星ウォームギヤ４０４はレンズマウント５の近傍へ移動し、図１０に示す状態に位置決めされる。
【００３０】
図１０の状態で、コントローラＣＲの制御によりソレノイド４１１が非通電となると、プランジャ４１２は元の位置に復帰する。プランジャ４１２の移動に伴い、レバー４０６は支持軸４０９を中心として時計回りに回転し、図７に示すように、レバー４０６のストッパ片４０７ｄと遊星ウォームギヤ４０４の中心軸４０４ｃが係合する。その結果、遊星ウォームギヤ４０４は図７で示される位置に固定される。
【００３１】
レバー４０６において中心軸４０９の近傍には、係止穴４０６ａが形成されている。係止穴４０６ａには、案内板４０５に一体的に形成された突状のストッパ４１３が挿通している。ストッパ４１３と係止穴４０６ａとの係合により、ソレノイド４１１の通電状態において、回転するレバー４０６が必要以上に変位することが防止される。
【００３２】
遊星ウォームギヤ４０４が図１２に示す位置、すなわちパトローネ室２０の近傍に位置決めされると、図１３に示すように、遊星ウォームギヤ４０４のウォーム部４０４ｂは、第１のギヤ列４１９の巻戻し用平歯車（ホイールギア）４２０に噛合する。第１のギヤ列４１９は、巻戻し用平歯車４２０と、巻戻し用平歯車４２０に噛合する巻戻しアイドルギヤ４２１と、平歯車の巻戻しアイドルギヤ４２１に噛合する巻戻しフォークギヤ４２２を有する。巻戻しフォークギヤ４２２は、パトローネ室２０の巻戻しフォーク２２と同軸的に設けられている。
【００３３】
第２のモータ２１の回転は、第２の切換手段２３のギヤ列、及び第１のギヤ列４１９を介して巻戻しフォーク２２に伝達され、巻戻しフォーク２２が回転される。本実施形態では、遊星ウォームギヤ４０４のウォーム部４０４ｂが巻戻し用平歯車４２０に噛合した状態において、第２のモータ２１は反時計方向へのみ回転するようコントローラＣＲにより制御される。換言すれば、ウォーム部４０４ｂが巻戻し用平歯車４２０に噛合しているとき、巻戻しフォーク２２はフィルムを巻戻す方向にのみ回転するよう、コントローラＣＲは第２のモータ２１の駆動を制御する。このような遊星ウォームギヤ４０４のウォーム部４０４ｂによる平歯車４２０の回転速度の減速作用によれば、複数の平歯車で構成される減速機構と比較して、単一部品でも比較的大きい減速比を得られ、第２のモータ２１を小型化することがきる。すなわち、減速機構の小型化と、駆動源（第２のモータ２１）の小型化とを両立することができる。
【００３４】
一方、このフィルム巻き戻し状態下において、チャージウォームギヤ４３０の平歯車部４３０ａは遊星ウォームギヤ４０４の平歯車部４０４ａとの噛合が解除されているが、ウォームホイール部４３０ｂは減速比が大きく、シャッターチャージ・レバー４３５及びミラー駆動レバー４３６へ多少の力が掛っても全く回転しないので、特別なロック機構などを設けずに、シャッターチャージ・レバー４３５及びミラー駆動レバー４３６を所望位置に安定保持できる。
【００３５】
遊星ウォームギヤ４０４が図７に示す位置、すなわちレンズマウント５の近傍に位置決めされると、遊星ウォームギヤ４０４の平歯車部４０４ａは、図１４に示すように、第２のギヤ列４２９のチャージウォームギヤ４３０の平歯車部４３０ａに噛合する。第２のギヤ列は、チャージウォームギヤ４３０と、チャージウォームギヤ４３０のウォームホイール部４３０ｂに噛合するギヤ４３１と、ギヤ４３１に噛合する絞り制御ギヤ４３２を有する。絞り制御ギヤ４３２には絞り制御機構（図示せず）が連結されている。第２のモータ２１の正転運動は、上述の第２の減速機構Ｄ２のギヤ列、及び第２のギヤ列４２９を介して、絞り制御機構に伝達される。尚、絞り制御機構については後述する。
【００３６】
また、絞り制御ギヤ４３２にはアイドルギヤ４３３が噛合し、アイドルギヤ４３３にはギヤ４３４が噛合している。第２のモータ２１が正転し、上述の第２の減速機構Ｄ２のギヤ列、第２のギヤ列４２９、及びアイドルギヤ４３３を介してギヤ４３４に伝達された回転運動は、シャッターチャージ・レバー４３５及びミラー駆動レバー４３６に伝達される。その結果、遊星ウォームギヤ４０４を図７に示す位置に位置決めした状態で第２のモータ２１を正転させることにより、シャッター駆動、及びクイックリターンミラー駆動が行われる。
【００３７】
図１５は図１４に示すギヤ列の一部を示す正面図である。絞り制御ギヤ４３２の平面部には回転カム４３２ａが形成されている。絞り制御レバー４３７は回転カム４３２ａの変位に従動するカムフォロア４３７ａを有する。コントローラＣＲ（図８参照）の制御に基づいて、遊星ウォームギヤ４０４を図７に示す位置に位置決めした状態で、撮影時（レリーズ操作時）、第２のモータ２１が正転させられる。その結果、絞り制御ギヤ４３２は図１５中、時計方向に回転する。撮影時、カムフォロア４３７ａが回転カム４３２ａの領域ＲＥに沿って変位するよう、第２のモータ２１の回転は制御される。カムフォロア４３７ａの変位に応じて、絞り制御レバー４３７が駆動され、開放絞りから絞り込む方向へ絞りの制御が行われる。そして、クイックリターンミラー６の跳ね上げ、シャッター駆動が行われる。シャッター駆動完了後、第２のモータ２１はさらに正転するようコントローラＣＲにより制御され、絞り制御ギヤ４３２はさらに時計方向に回転し、図１５に示す状態へ復帰する。尚、絞り制御ギヤ４３２の回転時、カムフォロア４３７ａが領域ＣＨと摺接している間、シャッターチャージ、クイックリターンミラー６のダウンが行われ、カムフォロア４３７ａが領域ＣＨに続くカム領域を通ることで絞りが絞り込み状態から開放絞りへ復帰する。すなわち、絞り制御ギヤ４３２の１回転で撮影動作及びシャッターチャージがなされ、次の撮影動作が可能な撮影準備状態へ復帰する。
【００３８】
コントローラＣＲの制御に基づいて、遊星ウォームギヤ４０４を図７に示す位置に位置決めした状態で、第２のモータ２１を逆転させると、絞り制御ギヤ４３２は図１５中、反時計方向に回転し、カムフォロア４３７ａは回転カム４３２ａに沿って変位する。プレヴュー動作時、カムフォロア４３７ａが回転カム４３２ａの領域ＰＶに沿って変位するよう、第２のモータ２１の回転は制御される。カムフォロア４３７ａの領域ＰＶに沿った変位に応じて、絞り制御レバー４３７が駆動され、絞りの制御が行われる。プレビュー動作終了時は、第２のモータ２１を正転させて、カムフォロア４３７ａを図１５に示す位置にまで戻す。
【００３９】
ギヤ４３４の平面部には円柱カム（図示せず）が形成されている。この円柱カムは半径が一定であり、ギヤ４３４が所定の回転角の範囲内で回転するとき、シャッターチャージ・レバー４３５及びミラー駆動レバー４３６の位置が変更されないよう構成されている。ギヤ４３４の回転角の制御は、ギヤ４３４に形成されるブラシ（図示せず）と、ギヤ４３４に対向するよう配設されるコード板（図示せず）を有するセンサーユニットの出力に基づき、コントローラＣＲの制御により行われる。一方、絞り制御ギヤ４３２のカム４３２ａは、上述のように絞り制御レバー４３７が駆動されるよう構成されている。従って、遊星ギヤ４０４を図１７に示す位置に位置決めした状態で、ギヤ４３４の回転角が所定の範囲内となるよう制御しながら第２のモータ２１を逆転させた場合、シャッター駆動及びミラー駆動は行われず、絞り制御のみが行われる。すなわち、クイックリターンミラー６をダウン状態に維持したまま、絞り制御のみが行われる。従って、設定した絞りの深度をファインダーで確認するプレビューが可能となる。
【００４０】
このようなチャージウォームギヤ４３０のウォームホイール部４３０ｂによるギヤ４３１の回転速度の減速作用によれば、複数の平歯車で構成される減速機構と比較して、単一部品でも比較的大きい減速比を得られる。従って、減速機構に関して、小型化と大きな減速比の両方が実現される。
【００４１】
一方、このような撮影動作状態あるいはプレビュー動作状態下においては、巻戻し用平歯車４２０は、遊星ウォームギヤ４０４のウォーム部４０４ｂとの噛合が解除され、巻戻しフォークギヤ４２２及び巻戻しアイドルギア４２１の回転に連動して回転可能な自由な状態となっている。したがって、不図示の巻上モータによりフィルムの巻上動作が実行された際に、これに伴って巻き戻しフォークギア４２０が回転するのを拘束しない。すなわち、フィルムの巻上動作が円滑に行える。
【００４２】
上述のように、遊星ウォームギヤ４０４がパトローネ室２０の近傍に位置決めされ、そのウォーム部４０４ｂが巻戻し用平歯車４２０に噛合した状態において、第２のモータ２１の逆転運動はフィルムの巻戻しに用いられ、遊星ウォームギヤ４０４がレンズマウント５の近傍に位置決めされ、そのウォーム部４０４ｂがチャージウォームギヤ４３０の平歯車部４３０ａに噛合した状態において、第２のモータ２１の正転運動はプレビューの際の絞りの駆動に用いられ、逆転運動は、撮影の際のクイックリターンミラ６、シャッター、及び絞りの駆動に用いられる。このように、第２のモータ２１はそれぞれ複数の処理の駆動源として活用されている。従って、駆動源の部品点数の増加が抑えられ、カメラ全体の小型化が図られる。
【００４３】
尚、本実施形態では、遊星ウォームギヤ４０４は平歯車部４０４ａとウォーム部４０４ｂとを具備する構成を有するが、これに限るものではない。第１のギヤ列４１９に連結する部分及び第２のギヤ列４２９に連結する部分が共にウォームギヤで構成されてもよい。
【００４４】
【発明の効果】
以上のように本発明によれば、切換手段を構成する遊星ウォームギヤにウォーム部を形成し、このウォーム部を介してモータの回転運動をフィルムの巻き戻し機構に伝達する。従って、モータの回転運動を高い減速比で減速して駆動機構へ伝達することができ、かつ一眼レフカメラの小型化を図ることができる。
【図面の簡単な説明】
【図１】本発明に係る実施形態が適用される一眼レフカメラのカメラボディの外観の正面図である。
【図２】カメラボディの外観を図１の右側から示す側面図である。
【図３】カメラボディの内部構成を示す正面図である。
【図４】カメラボディの内部構成の平面図である。
【図５】カメラボディの内部構成の底面図である。
【図６】第２の減速機構を正面から拡大して示す図である。
【図７】第２の減速機構の一部の部材を省略して示す拡大図である。
【図８】第２の減速機構の斜視図である。
【図９】第２の減速機構を図６の左側から示す側面図である。
【図１０】ソレノイドが通電され、かつ遊星ウォームギヤが第２のモータの回転運動をシャッターチャージレバー、絞り制御レバー、ミラー駆動レバーに伝達する位置にあることを示す第２の減速機構の拡大正面図である。
【図１１】ソレノイドが通電され、かつ遊星ウォームギヤが第２のモータの回転運動を巻き戻しフォークに伝達する位置にあることを示す第２の減速機構の拡大正面図である。
【図１２】ソレノイドの通電が停止され、かつ遊星ウォームギヤが第２のモータの回転運動を巻き戻しフォークに伝達する位置にあることを示す第２の減速機構の拡大正面図である。
【図１３】フィルムを巻き戻すときの第２の減速機構のギヤ列とフィルム巻戻しのギヤ列を示す斜視図である。
【図１４】撮影動作若しくはプレヴュー動作を行うときの第２の減速機構のギヤ列とシャッター駆動機構、ミラー駆動機構を示す図である。
【図１５】遊星ウォームギヤと絞り制御レバーを示す図である。
【符号の説明】
１  カメラボディ
４  フラッシュケース
６  クイックリターンミラー
１０  スプール
１１  第１のモータ
２０  パトローネ室
２１  第２のモータ
２２  巻き戻しフォーク
２３  第２の切換手段
４０４  遊星ウォームギヤ
４１９  第１のギヤ列
４２９  第２のギヤ列
【図１】
2004252002.tif 000003
【図２】
2004252002.tif 000004
【図３】
2004252002.tif 000005
【図４】
2004252002.tif 000006
【図５】
2004252002.tif 000007
【図６】
2004252002.tif 000008
【図７】
2004252002.tif 000009
【図８】
2004252002.tif 000010
【図９】
2004252002.tif 000011
【図１０】
2004252002.tif 000012
【図１１】
2004252002.tif 000013
【図１２】
2004252002.tif 000014
【図１３】
2004252002.tif 000015
【図１４】
2004252002.tif 000016
【図１５】
2004252002.tif 000017